(57)【要約】【課題】タイミングマークのない連続用紙を使用するレシートプリンタで、印刷途中で用紙切れとなっても、最終片を搬送可能な長さに保ち、かつ、発行するレシートの長さの増加を抑える。【解決手段】印刷・切断の位置合わせのためのタイミングマークが印刷されていない連続用紙を使用し、文字や画像等を印刷し、切断部にてある長さに切断したレシートを搬送する手段を有したレシートプリンタにおいて、レシートプリンタの用紙切断部より手前側に最終片の回収部を設け、長さの短い端数用紙を回収できるようにすることで、発行するレシートの長さの増加を抑える。【選択図】　図１
2004009394.tif 000002
【特許請求の範囲】
【請求項１】
印刷・切断の位置合わせのためのタイミングマークが印刷されていない連続用紙を使用し、文字や画像等を印刷し、切断部にてある長さに切断したレシートを搬送する手段を有したプリンタにおいて、用紙切断部より手前側に用紙の最終片を回収する回収部を持つことを特徴とするプリンタ。
【請求項２】
印刷・切断の位置合わせのためのタイミングマークが印刷されていない連続用紙を使用し、文字や画像等を印刷し、切断部にてある長さに切断したレシートを搬送する手段を有したプリンタにおいて、発行したが取り忘れたレシートや発行しない集計印字等のレシートの回収部とは別に最終片を回収する回収部を持つことを特徴とするプリンタ。
【発明の詳細な説明】
【０００１】
【発明の属する技術分野】
本発明は、例えば金融機関等で使われている現金自動預払機に搭載されている、取引内容を明細票（レシート）に印字して発行するレシートプリンタに適用する。
【０００２】
【従来の技術】
従来金融機関等で使われている現金自動現金自動預払機（ＡＴＭ）のレシート用紙は連続用紙を使用する場合、タイミングマークと明細書式とを事前に印刷（プレ印刷）し、レシートプリンタでは光学センサでそのタイミングマークを読み取り、印刷の位置や所定の個所で切断するための位置合わせの基準としていた。連続用紙の長さもタイミングマークに合わせて所定の長さに切断していったときに最後の一枚（最終片）まで所定の印刷と切断が出来、用紙の過不足が出ない長さ（連続用紙全長＝一片の長さ×ｎ　ｎ：正の整数）としていた。
【０００３】
一方、プレ印刷のコスト削減や取引毎にプレ印刷以外の顧客要求によるさまざまな明細書式を印字する方式が市場ニーズとして高まってきた。このプレ印刷のまったくない用紙は、プレ印刷で印刷されていたタイミングマークも同時になくなるので、最終片の長さが１枚のレシート長さになる保証がなくなる。すなわち、連続用紙全長がレシートを意識した長さとならないこと、また、仮に精度を上げて製作しても、搬送精度の誤差が蓄積され、最後の１枚では長さが保証できないことになる。ＡＴＭは無人で運転されるため、予備の用紙を準備して使用中の用紙が無くなったときに予備の用紙に切り替えるようにしている場合が多い。従って、この最終片の長さが保証されない場合には、例えば搬送ローラのピッチより短くなった場合は、搬送できずに滞留してしまい、ジャムとなる。また、短いレシートが残留しているために予備の用紙に自動で切り替えることができなくなる。
【０００４】
【発明が解決しようとする課題】
本発明は、搬送路の構造により搬送可能な長さが長い装置であっても、発行するレシートは通常長さと同等として違和感をなくし、かつ、長いレシートを回収せずに、予備の用紙への切替えも可能な装置を提供する。
【０００５】
【課題を解決するための手段】
レシートプリンタを、用紙切断部より手前に最終片の回収部を設け、長さの短い端数用紙を回収できるようにすることで、発行するレシートの長さの増加を抑える。
【０００６】
【発明の実施の形態】
本発明の実施例を現金自動取引装置の例を用いて説明する。
【０００７】
先ず、図６の現金自動現金自動預払機（ＡＴＭ）１の外観図、図７のＡＴＭ１の内部構成により、装置の概要を説明する。ＡＴＭ１は、主制御部２、レシートプリンタ３、紙幣入出金ユニット４、磁気カード読み取りユニット５、通帳プリンタ６、ジャーナルプリンタ７、入力／表示部８、音声出力部９から構成される。主制御部２はＡＴＭ１全体の制御を行う。紙幣入出金ユニット４は、紙幣入出金口１０から現金取引の入金および出金を行う。レシートプリンタ３は、出金や残高などの明細情報を印刷したレシートを媒体入出口１１から放出する。磁気カード読取ユニット５は、媒体入出口１１から挿入された磁気カードＡのデータ情報の読み取り／書き込みを行い、磁気カードＡを媒体入出口１１へ放出する。入力／表示部８は、操作者に暗証番号や取引金額の入力を行わせたり、操作案内等の表示を行う。音声出力部９は操作案内等のガイダンスを流す。ジャーナルプリンタ７は現金自動取引装置で行った取引内容を用紙に印字し保管する。
【０００８】
以下に、従来のレシートプリンタの構成と動作を説明する。
【０００９】
まず、従来のプレ印刷有りの連続用紙は、図２のようになっており、レシート１枚１００毎に、用紙の位置決めに使用するためのタイミングマーク１０１が印刷され、タイミングマークと規定の位置関係にて罫線や項目等のプレ印刷１０２がされている。また、ジャム時に適正な位置で用紙を切断できるように、１枚毎の区切りにはミシン目１０３が入っており、最後のレシートは端数用紙がでないようにミシン目１０３でカットされている。
【００１０】
次に、図８のレシートプリンタの概略図と、図５シートプリンタのブロック図を使用して従来のレシートプリンタの動作を説明する。
【００１１】
レシートプリンタ３は制御部２１にマイクロプロセッサを持ちアクチュエータの駆動制御や印刷準備動作等のレシートプリンタ全体を制御し、ＡＴＭ１の主制御部２と通信して印刷・発行等の命令によりその実行指示等を行う。連続用紙２２及び予備の連続用紙である補充用紙２３を格納するホッパ２４、用紙を搬送する搬送路２５、レシートを発行する発行口２６、連続用紙に印刷するための印字ヘッド２７および印字搬送用のプラテンローラ２８、連続用紙を所定の長さに切断するためのカッタ２９、取り忘れや障害印字などの発行せずに回収するレシートを保管するための回収箱３０等で構成されている。
【００１２】
ホッパ２４には補充用紙２３を補充位置に支持して置く補充ガイド３１、用紙の先端を搬送路２５へ分離導入するための分離ガイド３２、用紙繰り出し用の繰出ローラ３３等がある。補充ガイド３１は矢印方向に回転し、連続用紙２２がなくなったときに補充用紙２３を連続用紙２２の位置に移動させる。搬送路１５には用紙搬送用の搬送ローラ３４、用紙搬送並びに発行したレシートを保持し受領者がレシートを引っ張ったときに抵抗なく回転し受領できるようにするクラッチローラ３５、回収箱３０への用紙搬送をする回収ローラ３６、回収箱３０への搬送路を切り替えるための切替ゲート３７等がある。切替ゲート３７は（ロ）矢印方向に回転し、搬送ローラ３４が逆転しレシートを戻したときにレシートが回収箱３０へ搬送、回収される。さらに、レシ−トプリンタ３の内部には補充用紙の有無を検知する補充用紙センサ４０、連続用紙２２の残量が少なくなったことを検知する残量センサ４１、用紙先端が分離導入されたことと用紙が残っていることを検知する用紙有無センサ４２、用紙の位置決めを行うためのタイミングマークセンサ４３、用紙が切断されて発行口２６方向へ搬送されたことを検知する先端センサ４４、回収方向へ搬送されたことを検知する回収路センサ４５、回収箱のレシートの有無を検知する回収箱センサ４６等の光学センサがある。カッタ２９と用紙有無センサ４２の間隔はおおよそ通常のレシート長さＬとしてあり、当該取引で使用できる用紙の有無を認識できるように配置している。レシート発行時は、タイミングマークセンサ４３で用紙のタイミングマーク１０１を検知して用紙の位置を確認して罫線１０２に合う位置に印字を行い、ミシン目１０３付近で切断する。これらのセンサは図では透過形センサとして記されているが、反射形センサでも、また用途により光学以外のセンサでも差し支えない。
【００１３】
また、図では各ローラやゲートを駆動するモータやソレノイド等のアクチュエータ、並びにケーブル等は説明を容易にするため省略してあるが、図５のブロック図のように搬送部５０には搬送用のステッピングモータ５１と、カットした用紙を発行する側とロール紙側の用紙を別々に搬送できるようクラッチ５２を配し、カッタ動作用モータ６０や、補充ガイド動作用ソレノイド７０、切替ゲート同作用ソレノイド８０等を有している。
【００１４】
次にプレ印刷無しのロール紙を使用する場合の動作について、以下に説明する。
【００１５】
使用する連続用紙は、巻き戻して広げると図３のようになっており、発行するレシート用紙１１１はプレ印刷、タイミングマークのない白紙であり、ミシン目もない。ここでプレ印刷が無いため１枚ごとになってはいないが、便宜上、正常な長さで印字・発行しつづけ、正常な長さに満たなくなった残りの片を最終片１１６、最終片１１６枚の１枚前のレシートを最終レシート１１５する。
【００１６】
次に、用紙の最終片１１６最終レシート１１５より以前のレシートを発行するときの動作を図８、図３、図４のフローチャートにより説明する。ＡＴＭ１の主制御部２より、レシートプリンタ３の制御部２１へレシートに取引結果を印刷、発行するよう命令が来ると、ＳＴ１で、プラテンローラ２８で用紙を搬送しながら、印字ヘッド２７により、所定の取引結果を印字する。用紙の搬送中は、用紙有無センサ４２によりレシートが残っているか確認しつづけ、用紙が無くなった場合はそのタイミングを制御部２１で記憶する。ＳＴ２で、更にプラテンローラ２８、搬送ローラ３４により先端センサ４４が検知するまで送る。ＳＴ３で用紙を通常のレシート長さＬになるよう所定量搬送する。ＳＴ４で用紙有無センサ４２によりレシートが残っているか確認し、レシートが残っている場合は、ＳＴ５で用紙搬送を停止し、カッタ２９により用紙を切断する。ＳＴ６で、取引結果を印字してカットされた用紙Ｂを、搬送ローラ３４、クラッチローラ３５を駆動して発行口２６からエンドユーザに発行する。その後、次の印刷、発行命令がきたときには、ＳＴ１から再度繰り返す。
【００１７】
次に連続用紙の最終片１１６最終レシート１１５を印刷、発行するときの動作を説明する。ＳＴ１〜ＳＴ３では前述と同じく動作するが、用紙有無センサ４２によりレシートが残っているか確認しつづけており、最終レシート１１５印刷して切断する前に、用紙有無センサ４２で用紙が無いことを認識し、そのタイミングを制御部２１で記憶している。ＳＴ４で用紙有無を確認したとき、用紙が無くＳＴ７に進む。ＳＴ７の処理は実際には制御部２１で用紙が無くなったタイミングから判断するが、このタイミングから最終片の長さＬＳが計算できる。
【００１８】
まず、最終片の長さＬＳが通常のレシート長さＬより短くなり、かつ、切断して搬送可能長さＬ１よりも長くなる場合は、ＳＴ８でカッタ１９により用紙を切断し、ＳＴ９で印刷された最終レシートをエンドユーザに発行する。そして、ＳＴ１０で残った最終片１１６を回収箱３０へ回収する。その後は、ＳＴ１１で補充用紙センサ３１により補充用紙有無を検知し、用紙がある場合は、前述の用紙をセットする動作を行い、次の取引に備える。
【００１９】
一方、最終片の長さＬＳが正常印刷の片の長さより短くなり、かつ、切断して搬送可能長さＬ１よりも短くなる場合は、切断すると回収できないので、ＳＴ１３にて最終レシートと最終片をつなげたまま、搬送ローラ２４、クラッチローラ２５を駆動して発行口１６からエンドユーザに発行する。ここで、搬送可能な長さＬ１は例えば搬送ローラ３４とクラッチローラ３５の間隔や、搬送ローラ３４と回収ローラ３６の間隔以上になる。この搬送路は通常長さのレシートを搬送することを前提に設計されており、レシート１枚弱程度の搬送路間隔となっている場合が多く、発行するレシートの長さがレシート２枚弱になる場合がある。搬送可能な長さＬ１を狭くすることにより短い最終片が搬送可能となるが、ローラやベルトが追加になり、高価になる問題が発生する。
【００２０】
以下に、この対応策である本発明の実施例について説明する。
【００２１】
前述のレシートプリンタの切断部手前に、図１のように新たに最終片を回収するための最終片回収箱４７と回収する時に搬送路を切り替えるための第２切替ゲート４８を設ける。最終片１１６を回収する時は、カッタ２９で切断した残りである最終片１１６を一旦第２切替えゲートを超える位置までプラテンローラ２８で搬送したのち、第２切替ゲート４８を切り替えて搬送路を逆転し、最終片回収箱４７に回収する。この回収中の搬送はプラテンローラ２８のみで行うので、搬送可能な長さＬ１をカッタ２９とプラテンローラ２８の間隔にすることができる。このため、最終レシートを通常長さ程度にて発行できる。
【００２２】
最終片回収箱４７は最終片専用なので、搬送ローラを設けて奥まで搬送しなくても、ジャムは発生しない。新しい補充ロール紙をセットするために来た係員が回収した最終片１１５を取り除けば、数枚程度しか入らない回収箱でよいので、実装スペースを小さくすることもできる。
【００２３】
また、カッタ２９と用紙有無センサ４２の間隔を通常のレシート長さＬと搬送可能長さＬ１の和以上にすれば、通常のレシートを発行した後に必ずＬ１以上の長さの用紙が残るため、発行するレシートは常に通常のレシート長さＬとすることができる。この場合も回収箱を本発明の配置ではＬ１が小さくなっているので、装置の寸法増加を抑えることができる。
【００２４】
次に、本発明の別の実施例について述べる。
【００２５】
図９のように、最終片回収箱４７をカッタ２９とプラテンローラ２８の間に配置し、カッタ２９の上側の刃に用紙を下側に沿わせるためのガイド板４９を取り付け、カッタが閉じたときに下降するよう構成する。
【００２６】
この実施例での最終片１１６の回収方法を以下に説明する。
【００２７】
まず、最終片の長さＬＳがカッタ２９とプラテンローラ２８の間隔以上の場合は、カッタ２９を切断時の閉じた状態でプラテンローラ２８を矢印（ホ）方向へ回転させる。搬送された用紙はガイド板４９に沿って回収箱へ落下し、最終片回収箱４７に回収できる。
【００２８】
一方、最終片の長さＬＳがカッタ２９とプラテンローラ２８の間隔以下の場合は、最終レシート１１５を通常のレシート長さＬで切断すると、最終片１１６を支えるものがなくなり落下する。プラテンローラ２８に引っかからないように矢印（ホ）方向へ回転させると、最終片回収箱４７に落下し、回収できる。
【００２９】
以上により、この実施例では最終レシートであっても、通常のレシート長さＬで発行できる。
【００３０】
上記実施例では最終片１１５の回収箱を専用に設け、通常の回収箱は変更を加えず最終片を回収できるようにしたが、別の実施例として、通常の回収箱３０を切断部より手前側に配置し、最終片回収箱４７と兼用とすることで部品数の増加を抑えることも出来る。
【００３１】
【発明の効果】
本発明によれば、タイミングマークのない連続用紙を使用しても、装置の寸法増加を抑え、かつ最終片の長さを通常長さに収めることができる。
【図面の簡単な説明】
【図１】本発明のレシートプリンタ概略図。
【図２】従来の連続用紙の図。
【図３】タイミングマークが印刷されていない連続用紙の図。
【図４】レシートプリンタのフローチャート。
【図５】レシートプリンタのブロック図。
【図６】現金自動預払機（ＡＴＭ）を示す図。
【図７】ＡＴＭの内部構成図。
【図８】従来のレシートプリンタ概略図。
【図９】本発明の別の実施例を示す図。
【符号の説明】
１…ＡＴＭ、２…主制御部、３…レシートプリンタ、４…紙幣入出金ユニット、５…磁気カード読取ユニット、６…通帳プリンタ、７…ジャーナルプリンタ、８…入力／表示部、９…音声出力部、１０…紙幣入出金口、１１…媒体入出口、２１…制御部、２２…連続用紙、２３…補充用紙、２４…ホッパ、２５…搬送路、２６…発行口、２７…印字ヘッド、２８…プラテンローラ、２９…カッタ、３０…回収箱、３１…補充ガイド、３２…分離ガイド、３３…繰出しローラ、３４…搬送ローラ、３５…クラッチローラ、３６…回収ローラ、３７…切替ゲート、４０…補充用紙センサ、４１…残量センサ、４２…用紙有無センサ、４３…タイミングマークセンサ、４４…先端センサ４５…回収路センサ、４６…回収箱センサ、４７…最終片回収箱、４８…第２切替ゲート、４９…ガイド板、５０…搬送部、５１…ステッピングモータ、５２…クラッチ、６０…カッタ動作用モータ、７０…補充ガイド動作用ソレノイド、８０…切替えゲート動作用ソレノイド、１００…レシート、１０１…タイミングマーク、１０２…プレ印刷、１０３…ミシン目、１０４…連続用紙の最後のレシート、１１１…レシート、１１５…最終レシート、１１６…最終片、ＳＴ１〜ＳＴ１４…フローチャートの処理ステップ、Ａ…磁気カード、Ｂ…レシート、Ｌ…通常のレシート長さ、Ｌ１…搬送可能長さ、ＬＳ…最終片の長さ、（イ），（ロ），（ハ），（ニ），（ホ）…矢印。
【図１】
2004009394.tif 000003
【図２】
2004009394.tif 000004
【図３】
2004009394.tif 000005
【図４】
2004009394.tif 000006
【図５】
2004009394.tif 000007
【図６】
2004009394.tif 000008
【図７】
2004009394.tif 000009
【図８】
2004009394.tif 000010
【図９】
2004009394.tif 000011